(57)【要約】【課題】      信頼性の高い反射センサによる紙幣識別装置を提供する。【解決手段】  紙幣識別装置は、搬送路Ｘに沿って搬送される紙幣の一方の面側に配置され紙幣を走査する反射センサを第１パネルの第１識別開口部に設け、他方の面側に配置され、紙幣が無い場合に反射センサから照射された光を反射する白色系統の上面を備えた反射部材を反射部材の下部に設けられた取付手段によって第２パネルの第２識別開口部内に取り付け、紙幣が無い場合に反射部材により反射した反射光に対する検知特性で反射センサを校正し、また紙幣から検出した信号の出力パターンと予め記憶された標準出力パターンとを比較することで紙幣を識別する。【選択図】    図１
2005092518.tif 000002
【特許請求の範囲】
【請求項１】
第１パネルと第２パネルの間に搬送路が形成され、
前記第１パネルには搬送路方向に隆起した第１識別開口部が設けられ、
前記第２パネルには前記第１識別開口部と対向する部位に搬送路方向に隆起した第２識別開口部が設けられ、
前記搬送路内を搬送される紙幣に光を照射してその反射光を受光する反射センサが前記第１識別開口部内に設けられ、
前記搬送路における紙幣の搬送に伴う前記反射センサの出力パターンを予め記憶された標準パターンと比較して紙幣を識別するとともに、
前記反射光を用いて前記反射センサの出力特性を校正する紙幣識別装置において、
前記第２識別開口部内には前記第１パネルの前記反射センサに対向する部位に上面が垂直に面する白色系統から成る反射部材が取付手段によって取り付けられたことを特徴とする紙幣識別装置。
【発明の詳細な説明】
【技術分野】
【０００１】
本発明は、紙幣識別装置に関する。
【背景技術】
【０００２】
従来、紙幣識別装置では反射センサを用いて紙幣の識別を行っている。  すなわち、反射センサは光を紙幣に照射してその反射光を受光し、反射光の強度に応じた電気信号を出力する。２つのパネル間に形成される搬送路に沿って紙幣を所定方向に送りながらこの反射センサで走査した電気信号の出力パターンを、予め求めておいた標準出力パターンと比較することにより、紙幣の真偽識別を行う。そして、その識別結果に基づいて受け入れあるいは払い出しを行う。  
【０００３】
紙幣識別装置の回路基板は、電源端子のほか、識別結果を出力する出力コネクタを備える。また、紙幣の送り制御や識別の制御プログラム、標準出力パターンのデータ等を記憶させておくＲＯＭを備えており、その記憶内容を書き換えるためのＲＯＭライタを接続するライタコネクタを備えている。  
【０００４】
反射センサの出力パターンを標準出力パターンと比較して識別するためには、反射センサが所定の特性である必要があるが、反射センサの検出特性には部品としてのバラツキもあり、また経年変化も生じる。従って、反射センサの検出特性が所定の範囲に入るように校正が行われる。このため、紙幣とは別個の基準となる反射物に対する反射センサの出力をチェックして、この出力が所定値となるように反射センサの光出力が調整される。上記基準となる反射物として、従来の紙幣識別装置では、反射センサが対向する黒色のパネルに白一色に着色されたシール状体の反射片を貼り付けていた。    
【特許文献１】特開２００１−２０９８３９号公報
【発明の開示】
【発明が解決しようとする課題】
【０００５】
しかしながら、このような白一色に着色されたシール状体の反射片を反射センサに対向したパネルの部位に正確に貼り付ける作業は、煩雑であり工数が掛る上に剥がれ易く、貼付け位置の安定性に欠ける。また、時間経過の中で剥がれてしまったり、シール状の反射片の添付に用いられる接着材等により反射片の周辺にゴミや塵が付着してしまったりするものがあり、反射率を低下により反射センサの適切な校正ができなくなるという不都合があった。反射センサがうまく校正できていないと、紙幣の識別ができなくなり、真正な紙幣に対する受付不良が頻繁に発生するという問題が生じていた。本発明は、上記の問題点を解決するために、信頼性の高い紙幣識別装置を提供することを目的とする。
【課題を解決するための手段】
【０００６】
このため、本発明は、第１パネルと第２パネルの間に搬送路が形成され、前記第１パネルには搬送路方向に隆起した第１識別開口部が設けられ、前記第２パネルには前記第１識別開口部と対向する部位に搬送路方向に隆起した第２識別開口部が設けられ、前記搬送路内を搬送される紙幣に光を照射してその反射光を受光する反射センサが前記第１識別開口部内に設けられ、前記搬送路における紙幣の搬送に伴う前記反射センサの出力パターンを予め記憶された標準パターンと比較して紙幣を識別するとともに、前記反射光を用いて前記反射センサの出力特性を校正する紙幣識別装置において、前記第２識別開口部内には前記第１パネルの前記反射センサに対向する部位に上面が垂直に面する白色系統から成る反射部材が取付手段によって取り付けられた、構成によって達成される。
【発明の効果】
【０００７】
本発明により、検出特性のバラツキや変化に対して、第１識別開口部内に反射センサを設けたので第１識別開口部と第２識別開口部とにより反射センサと紙幣との距離を規制することができ、安定した紙幣の真偽識別が可能になる。また、反射センサに対向する反射部材は、第２識別開口部の内部に設けられているので搬送されてくる紙幣との摩擦により剥がれることもない。反射部材は反射部材の下部に設けられた取付片により第２パネルとしっかりと係合するので、取り付け位置のバラツキも解消でき、反射センサの校正が適切に行えることとなり、所定の検出特性を維持できることで、より信頼性のある紙幣識別装置を提供できる。
【発明を実施するための最良の形態】
【０００８】
以下、各図を参照し、本発明の実施の形態として、パチンコ遊技店等に設置されたパチンコ玉貸し機に組み込まれる紙幣識別装置１の構成について説明する。  図１は実施の形態を示す紙幣識別装置１の上面から見た断面図である。紙幣識別装置１は箱状の第１パネル１０と箱状の第２パネル２０とからなり、第１パネル１０と第２パネル２０との間に隙間を持たせて対向させて紙幣２の搬送路Ｘを形成している。搬送路Ｘは図１において、下方側が遊技者によって投入される紙幣２を受け入れる投入口３で、上方側が受け入れた紙幣２が真券の場合に紙幣２を排出する送出口５となっている。第１パネル１０には第１識別開口部５１、第２パネル２０には第１識別開口部５１に対向する位置に複数個の第２識別開口部５２が設けられ、第１識別開口部５１と第２識別開口部５２はそれぞれ搬送路Ｘ内側に向かって、第１パネル１０上、第２パネル２０上から環状に膨出隆起し開口した形状を成している。第１識別開口部５１は、投入された紙幣２を第２パネル２０側へガイドし、同時に第１識別開口部５１に対向して設けられた第２識別開口部５２は第１パネル１０側へガイドする。これにより紙幣２を後述する反射センサ２７に近づけるとともに、反射センサ２７と反射部材５０との距離を所定の狭い範囲に規制することで、紙幣２の真偽識別を安定させることが可能になる。  さらに、第１パネル１０の下部には、矩形状に下方に突出した後述する搬送機構４を動作させる駆動モータを収納する駆動モータ収納部１０ａが設けられている。（図６参照）第１パネル１０の正面側は第２パネル２０と連結することで搬送路Ｘを形成し、背面側内部には回路基板３０が備えられていて、第１パネル１０背面側には後述するＤＩＰスイッチ３９を操作可能な操作口（図示せず）が設けられている。第２パネル２０の正面側には、第１パネル１０との係合を係止及び係止解除の操作が可能な後述するロック部（図示せず）が設けられている。なお、第１パネル１０と第２パネル２０はＡＢＳ樹脂またはポリカーボネートによる成型品である。  
【０００９】
第１パネル１０の正面側（搬送路Ｘを形成する面）には、前方搬送プーリ１１、後方搬送プーリ１２が設けられている。これらに掛け渡された搬送ベルト１７が、第１パネル１０内に形成され搬送路Ｘにそって延びるベルト窓１７ａから搬送路Ｘに臨んでいる。搬送路Ｘに臨む搬送ベルト１７の中間部は搬送ローラ１３で支持されている。  第２パネル２０背面側（搬送路Ｘを形成する面）には、第１パネル１０の前方搬送プーリ１１、搬送ローラ１３、後方搬送プーリ１２に対応させて、前方対向ローラ２１、中間対向ローラ２３、後方対向ローラ２２が設けられている。各対向ローラ２１、２２、２３は第２パネル２０に形成された穴から搬送路Ｘ側へスプリング（図示せず）で付勢され、それぞれ対応する搬送プーリ１１、搬送ローラ１３、搬送プーリ１２との間に搬送ベルト１７を挟むようになっている。これにより搬送機構４が構成され、搬送機構４は第１パネル１０の下部に設けられた駆動モータ収納部１０ａに備えられた駆動モータ１５の動作によって駆動するように成され、搬送路Ｘに紙幣２が投入されると、紙幣２は各対向ローラ２１，２２，２３と各搬送プーリ１１、１２等により搬送ベルト１７に押し付けられ、搬送ベルト１７とともに送出口５方向へ搬送される。なお、図１では簡単化のため紙幣２は搬送路Ｘの間隙の中間に浮かせて描いてある。  
【００１０】
ここで、紙幣識別装置１に設けられている各センサについて説明する。  第１パネル１０の正面側には、投入検知センサ２４、透過センサ２５、磁気センサ２６と反射センサ２７が設けられている。投入検知センサ２４は、搬送路Ｘ内に投入された紙幣２の有無（投入）を検知するために、第１パネル１０に形成された穴から搬送路Ｘに臨んで、投入口３側の側縁近傍の上下に１個ずつ２個配置されている。例えば、投入検知センサ２４は発光素子と受光素子を備えたセンサで、第２パネル２０からの反射光を受光して搬送路Ｘ内の紙幣２の有無を検知する反射型のセンサが用いられている。透過センサ２５は、上下２箇所配置された搬送機構４の前方搬送プーリ１１の上下間の中間近傍やや後方（送出口５方向）に配置され、第１パネル１０の正面側に設けられた発光部２５ａそして第２パネル２０の背面側に設けられた受光部２５ｂで構成され、通過する紙幣２の透過率を検知するように成している。磁気センサ２６は、上下２箇所配置された搬送機構４の前方搬送プーリ１１のやや後方（送出口５方向）の搬送路Ｘの上下端近傍に配置され、第１パネル１０の正面側に形成された穴から搬送路Ｘに臨んで設置され、第２パネル２０背面側には磁気センサ２６に対向した位置に挟持ローラ２９が穴から搬送路Ｘに臨んでいる。挟持ローラ２９は搬送路Ｘ側へスプリング（図示せず）で付勢され、磁気センサ２６のヘッド側（磁気センサ２６上面）に押し付けられるように設けられて、紙幣２を磁気センサ２６のヘッドに接触させるように成している。なお、図１では、各部の説明のために第１パネルと第２パネル間に形成される搬送路Ｘの幅を広く描いてあるので、磁気センサ２６のヘッド側と挟持ローラ２９は離れている。反射センサ２７は、搬送路Ｘの内部方向に環状隆起した４個上下に形成された第１識別開口部５１内に設けられ、それぞれ搬送路Ｘ内方向（第１識別開口部５１に対向する位置で第２パネル２０に設けられた第２識別開口部５２内の反射部材５０方向）へ照射するように設置され、搬送路Ｘの紙幣２等からの反射光を受光するように成している。そして、４つの反射センサ２７のうち、２つは紙幣２の高さ方向の中間部付近を照射するように２本の搬送ベルト１７の内側に並んで設けられている。また、他の２つはそれぞれ搬送ベルト１７の外側の上下端（紙幣２の高さ方向の高位と低位）に設けられている。なお、ここでは反射センサ２７の数を４つ設けた場合の実施の形態として説明を行っているが、紙幣識別装置１に設置する反射センサ２７の数や設置位置はこの限りではない。  
【００１１】
図２は、第１パネル１０の搬送路Ｘ側（正面側）の平面、すなわち搬送路Ｘを形成する一方の面を示す平面図である。図３は、第２パネル２０の搬送路Ｘ側（背面側）の平面、すなわち搬送路Ｘを形成する他方の面を示す平面図である。第１パネル１０と第２パネル２０の幅寸法、すなわち搬送路Ｘの幅寸法は、紙幣２の短辺長さよりも若干大きい幅寸法を有している。  搬送ベルト１７は、搬送路Ｘの長手方向に沿って投入検知センサ２４の後方から送出口５方向へ送出口５までにわたって平行に２本設置され、ベルト窓１７ａから搬送路Ｘに臨んでいる。対向ローラ２１、２２、２３も前方搬送プーリ１１、搬送ローラ１３、後方搬送プーリ１２に対応させて２列状に設置され、穴７１ａ、７１ｂ、７１ｃから搬送路Ｘに臨んでいる。前方搬送プーリ１１、搬送ローラ１２、後方搬送プーリ１３は搬送ベルト１７がしっかりと掛かるようにプーリ部と幅方向に外側に隣接するローラ部からなり、ローラ部は各対向ローラ２１、２２、２３に対応させてある。  
【００１２】
第２パネル２０には、搬送路Ｘの後半部に長手方向にそって引き抜き防止レバー１８、レバースイッチ１９が搬送方向に回動自在に設けられ、第２パネル２０のレバー窓７２ａ、７２ｂからバネ等の付勢力で搬送路Ｘ側に突き出し状態が維持されている。引き抜き防止レバー１８は、紙幣２の高さ方向に対して投入された紙幣２の中央部に接するように、上下２つの搬送ベルト１７の間に配置され、レバースイッチ１９は投入された紙幣２の低部と接するように上下２本の搬送ベルト１７よりも低い位置で送出口５直前に配置されている。第１パネル１０には、引き抜き防止レバー１８、レバースイッチ１９を受け入れる開口１４ａ、１４ｂが設けられ、内部に設けられた回路基板３０には各レバーの動作を検知するレバーセンサ１８ａ、１９ａがそれぞれに設けられている。  
【００１３】
各図を参照して、紙幣識別装置１の第２パネル２０の第２識別開口部内に取り付けられた反射部材５０について、説明する。  図４は、紙幣識別装置１の搬送路Ｘを構成する第１パネル１０と第２パネル２０においる反射センサ付近の部分拡大断面を示す。  図５は、反射部材５０の外観斜視図を示す。  反射部材５０は、白色系統の部材で円筒形状を成し、上面５０ａは円形状の平面を成していて、上面５０ａは５０％以上の反射率を有している。反射部材５０の下部には、反射部材５０の背面から下方向に延び先端が爪状を成してその一部が側方へ突出した取付手段としての取付片５０ｂが２本設けられている。  反射部材５０は、第２パネル２０に設けられた第２識別開口部５２内に、反射部材５０の下部に設けられた爪状の２つの取付片５０ｂを挿入し、第２識別開口部５２内に押下することで取付片５０ｂと第２識別開口部５２の底面とが係合し、しっかりと固定されるように成している。また、反射部材５０は反射部材５０の下部に設けられた取付片５０ｂにより第識別開口部５１内にしっかりと固定されるので、シール状体の反射片のように剥がれることもなく、またシールを貼り付けるための接着材等を用いていないので、反射部材５０の周辺にゴミや塵等が付着することもなく、さらに反射部材５０を第パネル２０への取り付けも容易になるので、取り付けを行う作業者の作業の軽減にもつながる。また、第２識別開口部５２の上面よりも多少凹んだ位置に反射面となる反射部材５０の上面５０ａが位置するので、搬送路Ｘ内を通過する紙幣２との接触を無くすことが可能になり、通過する紙幣２との接触を避けることにより反射面となる反射部材５０の上面５０ａの磨耗や汚れを回避することが可能になり、反射部材５０の反射面となる上面５０ａの磨耗や汚れを防止することで反射部材５０の反射率を保持することができ、安定した紙幣の真偽識別の継続が可能になる。さらに、反射部材５０に汚れ等が付着した場合にも反射部材５０を第２パネル２０の背面側より反射部材５０の取付片５０ｂ同士を近づける方向に摘み、第２パネル２０方向に押下することで簡単に取り外すことが可能であり、メンテナンス性が上がり、作業者の負荷を軽減できる。ここでは、反射部材５０の上面５０ａと第２識別開口部２０の上面との段差を多少凹んだ位置と説明したが、反射部材５０の上面５０ａの厚みを厚くしたり、薄くしたりすることで上面５０ａの厚みを変えることで反射センサ２７の設定を変えることができる。また、反射部材は、ＡＢＳ樹脂またはポリカーボネートによる成型品である。  なお、図４でも簡単化のため紙幣２は搬送路Ｘの間隙の中間に浮かせて描いてある。  
【００１４】
次に、図６は第２パネル２０を開いた状態の紙幣識別装置１の外観を示す図である。  第２パネル２０は、第２パネル２０の送出口５側の上下面の両端に設けた回動部６０により第１パネル１０に回動自在に連結され、第２パネル２０の投入口３側の上下面の両端に設けたロック部のロック爪６１が、第１パネル１０に設けられたロック穴６２に係合し第１パネル１０と第２パネル２０との連結を保持することで、紙幣識別装置１内の搬送路Ｘを形成している。また、第２パネル２０の背面側に設けたロック部の操作によりロック爪６１が、第１パネル１０のロック穴６２から第２パネル２０の内部方向に可動することにより第１パネル１０との連結が解除され、第２パネル２０を送出口５方向
に回動部６０を支点として旋回可能に成している。  
【００１５】
第１パネル１０の内部には、前述の投入検知センサ２４、透過センサ２５、磁気センサ２６、反射センサ２７、引き抜き防止レバー１８、レバースイッチ１９等が接続された回路基板３０が設けられている。回路基板３０は第２パネル２０の幅より大きく、第１パネル１０の上面に設けられた外部接続用開口部１６からは、各種コネクタ（後述の電源端子３５、ライタコネクタ３６、出力コネクタ３７等）の接続やＤＩＰスイッチ３９の操作が可能に成していて、第１パネル１０の上方に向かってコネクタ郡が構成されている。  また、第１パネル１０の下部には、搬送機構４の駆動用の駆動モータ１５を収納する駆動モータ収納部１０ａも設けられていて、駆動モータ１５は第１パネル１０の矩形状の突出したモータ収納部１０ａ内に組み込まれている。  
【００１６】
次に、図７は紙幣識別装置１の回路基板３０のブロック構成図である。  ＣＰＵ３１は紙幣識別装置１内を統括制御し、透過センサ２５、磁気センサ２６、反射センサ２７、モータ制御回路３４、パチンコ玉貸し機本体と通信するための出力コネクタ３５に接続している。また標準出力パターンを記憶するフラッシュＲＯＭ３２を内蔵している。また、ＣＰＵ３１は、紙幣識別処理における処理プログラムを切り替えるＤＩＰスイッチ３９に接続している。  
【００１７】
さらに、ＣＰＵ３１は、２４Ｖから５Ｖの直流電源に変換するレギュレータ３３に電源線３８を介して接続され、５Ｖの直流電源を供給される。レギュレータ３３は紙幣識別装置１を組み込んだパチンコ玉貸し機本体からの２４Ｖの直流電源から電力が供給される電源端子３５に接続され、電源端子３５からの電力はモータ制御回路３４を介して駆動モータ１５に供給される。また、ＣＰＵ３１は、フラッシュＲＯＭ３２のデータ書き込み用の信号線を介してライタコネクタ３６に接続され、ライタコネクタ３６は５Ｖ直流端子を有し、その５Ｖ直流端子が電源線３８に接続されている。ＲＯＭライタをライタコネクタ３６に接続時にこの５Ｖ直流端子を通じてＣＰＵ３１へ５Ｖの直流電源を供給できる。  
【００１８】
反射センサ２７は内蔵の発光素子から光を照射し、第２パネル２０側の反射部材５０からの反射光及び紙幣２の表面からの反射光を内蔵の受光素子で受光して、受光状態の変化により紙幣２の先端または後端を検出して、それぞれの反射センサ２７は紙幣２の短辺方向の異なる箇所を走査して、紙幣２の固有の印刷模様に対応した電気信号を出力する。  磁気センサ２６は紙幣２に付着された磁性体の磁気を検出する。そして、それぞれの磁気センサ２６は紙幣２の短辺方向の異なる箇所を走査して、紙幣２に固有の電気信号を出力する。  
【００１９】
引き抜き防止レバー１８とレバースイッチ１９は搬送されてきた紙幣２の先端で倒されて、送出口５方向への紙幣２の移動を許し、紙幣２が通過すると付勢力によって元の状態に復帰する。引き抜き防止レバー１８は、紙幣２が投入口３側に引き抜かれることを禁止する。各レバーは搬送されてくる紙幣２により押下され、第２パネル２０内に回動し、その状態は紙幣２が通過し終えるまで維持され、引き抜き防止レバー１８とレバースイッチ１９は紙幣２が通過すると付勢力により待機状態に復帰する。この時、ＣＰＵ３１は、常時各レバーの待機状態を検知しているレバーセンサ１８ａ、１９ａの変化によって、通過した紙幣２の有無を検知して、各レバーの動作状況を把握している。  
【００２０】
各図を参照し、本実施の形態の作用を以下に説明する。  ＣＰＵ３１は、予め記憶されたプログラムに従って動作する。  具体的には、ＣＰＵ３１は遊技者が投入した紙幣２を投入検知センサ２４からの信号により検知すると、搬送機構４の駆動モータ１５を始動させることで搬送機構４を動作させ、紙幣２を取り込んで透過センサ２５、磁気センサ２６、反射センサ２７による紙幣２の走査を開始して、透過センサ２５、磁気センサ２６、反射センサ２７からの各電気信号を出力パターンとして、ＣＰＵ３１の内蔵のメモリに一時的に記憶する。フラッシュＲＯＭ３２に記憶した標準出力パターンとそれぞれ比較して、紙幣２の種別と紙幣２の真偽識別を行う。投入された紙幣２が真券と識別した場合は、搬送機構４の駆動モータ１５を継続して紙幣２を送出口５方向へ送出し、同時に出力コネクタ３７を介して、パチンコ玉貸し機本体に識別した紙幣２の種別信号を出力する。この時、搬送路Ｘを送出口５方向に搬送されてきた紙幣２は、引き抜き防止レバー１８とレバースイッチ１９を第２パネル２０内部方向に押下したまま各レバーを通り過ぎていく。搬送された紙幣２がレバースイッチ１９を通り過ぎ、レバースイッチ１９が元の待機状態に復帰し、紙幣２を送出口５から搬送路の外部に排出されると、所定時間後に駆動モータ１５を停止させることにより搬送機構４は停止する。  
【００２１】
また、搬送機構４の駆動により紙幣２が引き抜き防止レバー１８を通過するので、パチンコ玉貸し機本体に紙幣２の種別を出力した後は紙幣２を投入口３方向へ引き抜くことはできない。一方、投入された紙幣２が偽券と識別した場合は、搬送機構４を逆転させて投入された紙幣２を投入口３方向へ送り出し、遊技者へ返却する。  
【００２２】
また、搬送路Ｘに紙幣２が投入されていない時、反射センサ２７は内蔵した発光素子により光を照射し、反射部材５０からの反射光を受光する。ＣＰＵ３１はこの時の反射センサ２７の出力特性が所定の範囲に入るように反射センサ２７の発光出力を校正する。  
【００２３】
次に、新紙幣が発行された場合の対応について説明する。  新紙幣が導入されると、当然新紙幣に対する透過センサ２５、磁気センサ２６、反射センサ２７で得られる出力パターンは旧紙幣のそれとは異なる。従って、新紙幣についても紙幣の種別識別と真偽の識別を可能とするため、新紙幣の標準パターンをフラッシュＲＯＭ３２に追加して記憶させる必要がある。この場合、パチンコ玉貸し出し機から紙幣識別装置１を取り外して、回路基板３０のライタコネクタ３６にＲＯＭライタを接続して書き込み、書き換えを行うことが可能である。  
【００２４】
ＲＯＭライタは５Ｖの直流電源を備えており、ライタコネクタ３６の５Ｖ直流電源端子を介して、ＣＰＵ３１に直流５Ｖを供給する。ＣＰＵ３１はライタコネクタ３６からの５Ｖ電源で動作し、ＲＯＭライタ用信号線を介して送られてくる信号により内蔵のフラッシュＲＯＭ３２のデータを書き換えることができる。  
【００２５】
さらに、新紙幣が導入されてしばらくの間は、新旧両方の紙幣が使用されるが、そのうちに旧紙幣の流通がほとんどなくなる。  新紙幣の導入は、旧紙幣の偽造紙幣が出回り、旧紙幣の偽造紙幣不正使用の害をなくすためであることが多いことから、適当な時期に旧紙幣を排除する必要がある。そのため、新紙幣導入後のしばらくの期間は、新紙幣、旧紙幣の両方とも識別するようにし、適切なときに旧紙幣は受け付けないようにプログラムを切り替える。プログラムの切り替えは、回路基板３０のＤＩＰスイッチ３９を操作して、新旧紙幣併用モードから旧紙幣排除モードにプログラムに切り替えることによって行うことが可能である。  
【００２６】
以上のように本実施の形態によれば、反射センサ２７等の製造上のバラツキや使用中の反射センサ２７の検出特性の変動に対して、検出特性が所定の範囲となるように反射センサ２７を校正するときに、反射側として第２パネル２０に取付手段によってしっかりと取り付けられた白色系統で成形された反射部材５０を用いるので、従来のような白色シール状体の反射片を用いた場合のように反射片が剥がれたり、反射片の周りにゴミや塵が付着したりすることにより、反射センサ２７の検出特性が一定に維持できなくなる恐れがなくなる。  
【００２７】
また、反射部材５０は搬送路Ｘ内に環状隆起した第１識別開口部５１と第２識別開口部５２により反射部５０の上面５０ａが搬送されてくる紙幣２に接触しないよう反射部材５０よりやや高くなっているので、紙幣２が反射部材５０の上面５０ａと擦れて、反射部材５０の上面５０ａを汚し、反射部材５０の反射率を低下させるのを防止することが可能になる。  
【００２８】
また、ＲＯＭライタによるフラッシュＲＯＭ３２のデータ書き換え時に、ライタコネクタ３６を介して５Ｖの電源が供給されるので、ＲＯＭライタのみで容易に短時間にデータの書き換えをできる。つまり、フラッシュＲＯＭ３２のデータ書き換え作業の場所に２４Ｖの直流電源を別途用意するとか、紙幣識別装置１が取り付けられていた機器の２４Ｖ直流電源から、作業用の仮設電源線を引く必要がないので、書き換え場所に制約を受けない。  
【００２９】
さらに、ＤＩＰスイッチ３９で、新旧紙幣併用モードと、旧紙幣排除モードのプログラムを切り替えることができる。従って、フラッシュＲＯＭ３２のデータを書き換えた後、専門技術者を介することなく、通常のメンテナンス時に、回路基板３０のＤＩＰスイッチ３９を操作することによって、容易にプログラムの切り替えができる。  
【００３０】
なお、本発明で白色系統の反射部材５０とは、反射率５０％以上のものであり、白色以外に色彩を有する部材も含んでいる。本発明の実施の形態では第１パネル１０に反射センサ２７を、第２パネル２０に反射部材５０を設けた場合について説明したが、第２パネル２０側に反射センサ２７を設けて第１パネル１０に反射部材５０を設けてもよい。また、反射部材５０に設けた取付手段を第２パネル側に設けて、反射部材５０を取り付けるような構成としてもよい。さらに、本実施の形態では第１パネル１０と第２パネル２０と重ね合わせて、紙幣２の投入口３を縦長に配置して、紙幣２の長手方向を上下にして投入する場合の説明を行ったがそれに限定されるものではなく、投入口３が横長となるように第１パネル１０と第２パネル２０とを上下に重ねて配置することもできる。
【図面の簡単な説明】
【００３１】
【図１】本発明に係る紙幣識別装置１の機械的構成と各センサ配置を説明する上方からの断面図である。
【図２】第１パネル１０の背面側を説明する平面図である。
【図３】第２パネル２０の正面側を説明する平面図である。
【図４】反射センサ２７付近の部分拡大断面図である。
【図５】反射部材５０の外観斜視図である。
【図６】第２パネル２０を回動させた状態を示す図である。
【図７】紙幣識別装置１の回路基板３０の構成を説明するブロック図である。
【符号の説明】
【００３２】
１        紙幣識別装置  ２        紙幣  １０      第１パネル  ２０      第２パネル  ２７      反射センサ  ５０      反射部材  ５０ａ    上面  ５０ｂ    取付片  ５１      第１識別開口部  ５２      第２識別開口部  Ｘ        搬送路
【図１】
2005092518.tif 000003
【図２】
2005092518.tif 000004
【図３】
2005092518.tif 000005
【図４】
2005092518.tif 000006
【図５】
2005092518.tif 000007
【図６】
2005092518.tif 000008
【図７】
2005092518.tif 000009